(57)【要約】【課題】設置場所や設置方法、周囲の物の配置等に拘わらず、容易に操作でき且つ表示を容易に視認できる電解水生成装置を提供する。【解決手段】装置本体２と、装置本体２のハウジング９に設けられる操作表示体３を備える。操作表示体３は、装置本体２の動作設定を行うための操作手段と、装置本体２の設定情報を表示する表示手段を有する。ハウジング９に操作表示体３の位置を変更する位置変更手段が設けられる。【選択図】図１
2012228630.tif 000002
【特許請求の範囲】
【請求項１】
装置本体と、この装置本体のハウジングに設けられる操作表示体を備え、この操作表示体は、前記装置本体の動作設定を行うための操作手段と、前記装置本体の設定情報を表示する表示手段を有し、前記ハウジングに前記操作表示体の位置を変更する位置変更手段が設けられたことを特徴とする電解水生成装置。
【請求項２】
前記装置本体は、前記生成された電解水を吐出する吐出部と、この吐出部から吐出される電解水をアルカリイオン水又は酸性イオン水に選択的に切り替える切換手段を有し、前記操作手段は前記吐出部から吐出される電解水をアルカリイオン水又は酸性イオン水のいずれかに設定する操作部を有し、前記表示手段が前記操作部で設定された電解水の水質を表示するものであることを特徴とする請求項１に記載の電解水生成装置。
【請求項３】
前記位置変更手段が、前記操作表示体をスライドさせるスライド機構により構成されたことを特徴とする請求項１又は請求項２に記載の電解水生成装置。
【請求項４】
前記スライド機構が、任意の位置にスライドした操作表示体を保持する保持手段を有することを特徴とする請求項３に記載の電解水生成装置。
【請求項５】
前記ハウジングの複数箇所に前記操作表示体を着脱自在に取り付け可能な取付部が設けられ、これら複数の取付部により前記位置変更手段が構成されたことを特徴とする請求項１又は請求項２に記載の電解水生成装置。
【請求項６】
前記操作表示体が取り外された状態にある前記取付部を覆うカバーを備えたことを特徴とする請求項５に記載の電解水生成装置。
【請求項７】
前記操作表示体の表示が前記操作表示体が取り付けられた取付部に応じて変更されるものであることを特徴とする請求項５又は請求項６に記載の電解水生成装置。
【発明の詳細な説明】
【技術分野】
【０００１】
本発明は原水を電気分解して電解水を生成する電解水生成装置に関する。
【背景技術】
【０００２】
特許文献１には、水を電気分解してイオン水を生成するアルカリイオン整水器が開示されている。このアルカリイオン整水器の前面には、タッチパネルからなる操作表示部が設けられており、操作表示部により各種の設定と表示を行えるようになっている。
【先行技術文献】
【特許文献】
【０００３】
【特許文献１】特開２００１−７０９４３号公報
【発明の概要】
【発明が解決しようとする課題】
【０００４】
ところで、電解水生成装置は、流し台の上に置いて設置したり、壁に掛けて設置したりする等、利用者によって設置場所や設置方法が異なる。このため、特許文献１にあっては、設置箇所等によっては、操作表示部が操作し難くなったり、操作表示部の表示が見え難くなったりすることがある。また、設置箇所が同じでも、電解水生成装置の周囲の物の配置等によっても、操作表示部が操作し難くなったり、操作表示部の表示が見え難くなったりする場合がある。
【０００５】
本発明は上記事情に鑑みてなされたものであって、設置場所や設置方法、周囲の物の配置等に拘わらず、容易に操作でき且つ表示を容易に視認できる電解水生成装置を提供することを課題とする。
【課題を解決するための手段】
【０００６】
上記課題を解決するために本発明の電解水生成装置は、装置本体と、この装置本体のハウジングに設けられる操作表示体を備え、この操作表示体は、前記装置本体の動作設定を行うための操作手段と、前記装置本体の設定情報を表示する表示手段を有し、前記ハウジングに前記操作表示体の位置を変更する位置変更手段が設けられたことを特徴とする。
【０００７】
前記装置本体は、前記生成された電解水を吐出する吐出部と、この吐出部から吐出される電解水をアルカリイオン水又は酸性イオン水に選択的に切り替える切換手段を有し、前記操作手段は前記吐出部から吐出される電解水をアルカリイオン水又は酸性イオン水のいずれかに設定する操作部を有し、前記表示手段が前記操作部で設定された電解水の水質を表示するものであることが好ましい。
【０００８】
また、前記位置変更手段が、前記操作表示体をスライドさせるスライド機構により構成されることが好ましい。
【０００９】
また、前記スライド機構が、任意の位置にスライドした操作表示体を保持する保持手段を有することが好ましい。
【００１０】
また、前記ハウジングの複数箇所に前記操作表示体を着脱自在に取り付け可能な取付部が設けられ、これら複数の取付部により前記位置変更手段が構成されることが好ましい。
【００１１】
また、前記操作表示体が取り外された状態にある前記取付部を覆うカバーを備えることが好ましい。
【００１２】
また、前記操作表示体の表示が前記操作表示体が取り付けられた取付部に応じて変更されるものであることが好ましい。
【発明の効果】
【００１３】
本発明にあっては、設置場所や設置方法、周囲の物の配置等に拘わらず、容易に操作でき且つ表示を容易に視認できる。
【図面の簡単な説明】
【００１４】
【図１】第一実施形態の電解水生成装置の斜視図である。
【図２】同上の電解水生成装置の説明図である。
【図３】操作表示体を図１とは異なる位置に配置した電解水生成装置の斜視図であり、（ａ）は操作表示体をハウジングの前面部と上面部の接続部分に配置した状態を示し、（ｂ）は操作表示体をハウジングの上面部に配置した状態を示している。
【図４】同上の操作表示体及び保持手段を示す説明図である。
【図５】同上の操作表示体及び保持手段を示す説明図であり、（ａ）は操作表示体を保持手段で保持した状態を示し、（ｂ）は操作表示体の保持手段による保持状態を解除した状態を示している。
【図６】同上の操作表示体を示し、（ａ）は側面図であり、（ｂ）は背面図である。
【図７】同上の電解水生成装置を設置した流し台の説明図である。
【図８】第二実施形態の電解水生成装置の斜視図である。
【図９】図８の電解水生成装置の分解斜視図である。
【図１０】同上のハウジングの上面部に操作表示体を取付けた電解水生成装置の斜視図である。
【図１１】図１０の電解水生成装置の分解斜視図である。
【図１２】同上の操作表示体の背面図である。
【図１３】同上のハウジングに取付けた操作表示体を示し、（ａ）はハウジングの前面部に取り付けたときの操作表示体の正面図であり、（ｂ）はハウジングの上面部に取り付けたときの操作表示体の平面図である。
【図１４】同上のハウジングに設けられた嵌込部を示し、（ａ）はハウジングの前面部に設けられた嵌込部の正面図であり、（ｂ）はハウジングの上面部に設けられた嵌込部の平面図である。
【発明を実施するための形態】
【００１５】
以下、本発明を添付図面に基づいて説明する。
【００１６】
（第一実施形態）
本実施形態の電解水生成装置１は、図１に示すように、装置本体２と、装置本体２に設けられた操作表示体３を備えている。
【００１７】
装置本体２は、図２に示す水栓１１を介して原水管１０に接続され、原水管１０から供給された原水を電気分解して、電解水としてアルカリイオン水と酸性イオン水を生成するものである。
【００１８】
装置本体２は、外郭を構成する図１に示す縦長のハウジング９と、図２に示す、ハウジング９内に設けられた、浄水部４、カルシウム供給部５、電解部６、制御部７、及び電源部８を有している。
【００１９】
ハウジング９内には原水管１０から水道水又は井戸水である原水を電解部６に供給する給水路１２が設けられており、給水路１２には上流側から順に浄水部４及びカルシウム供給部５が設けられている。
【００２０】
浄水部４は、原水中に含まれる残留塩素及びトリハロメタンを吸着する活性炭と、一般細菌及び不純物を取り除く中空糸膜を有している。カルシウム供給部５は、浄水部４を通過した水に、グリセロリン酸カルシウムや乳酸カルシウム等のカルシウムイオンを付与して導電率を高める。
【００２１】
電解部６は、カルシウム供給部５を通過した水を電気分解し、電解水としてアルカリイオン水と酸性イオン水を生成する。電解部６は、カルシウム供給部５を通過した水が供給される電解槽１３と、電解槽１３内を二分して一対の電解室１４，１５を形成する隔膜１６を有している。
【００２２】
給水路１２はカルシウム供給部５の下流側の分岐点２２で二流路に分岐され、このうち一方の分岐流路２３は電解室１４に接続され、他方の分岐流路２４は電解室１５に接続されている。電解室１４には、電解室１４に生成された電解水を装置本体２の外部に吐出する吐出部として吐出路１９が接続されており、電解室１５には電解室１５内の電解水を排出する排出部として排出路２０が接続されている。
【００２３】
電解室１４には第一電極１７が設けられ、電解室１５には第二電極１８が設けられている。電解室１４、１５に水が供給された状態で、両電極１７、１８間に電圧を印加して水の電気分解を生じさせると、電解槽１３には電解水としてアルカリイオン水と酸性イオン水が生成される。このとき、第一電極１７に負の電圧が印加され且つ第二電極１８に正の電圧が印加されると、電解室１４ではアルカリイオン水が生成され、電解室１５では酸性イオン水が生成される。逆に、第一電極１７に正の電圧が印加され且つ第二電極１８に負の電圧が印加されると、電解室１４では酸性イオン水が生成され、電解室１５ではアルカリイオン水が生成される。すなわち、両電極１７、１８は、吐出路１９から吐出される電解水をアルカリイオン水又は酸性イオン水に選択的に切り替える切換手段を構成している。
【００２４】
浄水部４とカルシウム供給部５の間の給水路１２には、流量センサー２１が設けられている。また、カルシウム供給部５と電解部６の間の給水路１２は、分岐点２２よりも上流側において、接続路２５を介して排出路２０に接続されており、接続路２５には電磁弁２６が設けられている。
【００２５】
電源部８は電源プラグ２７に接続され、電源プラグ２７を介して交流電源から供給された電力を直流の電力に変換する。制御部７は電源部８に接続されて電源部８から電力が供給される。第一電極１７、第二電極１８、電磁弁２６、及び操作表示体３は制御部７に電気的に接続され、制御部７を介して電源部８から電力が供給される。
【００２６】
操作表示体３は、図１に示すようにハウジング９に設けられており、装置本体２の動作設定を行うための操作手段と、装置本体２の動作状態を表示する表示手段を有している。
【００２７】
操作表示体３は左右方向に長い長方形状の表面板３７を有している。表面板３７には、
薄型の表示装置３８が設けられており、表示装置３８の画面である表示部４９により表示手段が構成されている。表示装置３８には、図１に示す位置に操作表示体３が配置された状態で操作表示体３の下部に位置する複数の操作部３９が設けられており、これら複数の操作部３９により操作手段が構成されている。
【００２８】
表示装置３８には、操作部３９として、水質決定釦及びｐＨ調節釦が設けられている。水質決定釦は、吐出路１９から吐出される電解水（すなわち利用者によって利用される電解水）をアルカリイオン水又は酸性イオン水のいずれかに設定するために用いられる。ｐＨ調節釦は、吐出路１９から吐出される電解水のｐＨ値を調節するために用いられる。
【００２９】
表示装置３８の表示部４９には、水質決定釦及びｐＨ調節釦で設定した電解水の水質等の操作部３９により設定した設定情報や、装置本体２の現在の動作状態等が表示される。なお、前記表示部４９で表示される、水質決定釦で決定した電解水の水質情報は、例えば「アルカリイオン水」や「酸性イオン水」といった表現で表示されるものであってもよいし、「ｐＨ９．５」といった間接的な表現で表示されるものであってもよい。
【００３０】
操作表示体３は、ハウジング９に設けられた位置変更手段によりハウジング９に対して位置変更可能に設けられている。位置変更手段は、操作表示体３をハウジング９の外面に沿ってスライドさせるスライド機構により構成されている。
【００３１】
図１に示すように、ハウジング９は、鉛直な前面部４１と、前側程下方に位置するように傾斜した上面部４０を有している。上面部４０と前面部４１の接続部分４２は側断面形状が前斜め上方に向かって突となる弧状に形成されており、上面部４０と前面部４１は稜線を介在させずに連続している。
【００３２】
ハウジング９の上部には、ハウジング９の外方に向かって開口し、前面部４１の上部から上面部４０まで連続して延びる凹溝部４３が形成されている。凹溝部４３の底面には、凹溝部４３の長さ方向に延びるスライド溝部４４が左右に複数条（図示例では２条）形成されている。図示は省略するが、各スライド溝部４４には長手方向の全長に亘って本体側電気接続部が設けられており、これら本体側電気接続部は制御部７に電気的に接続されている。
【００３３】
図４に示すように、凹溝部４３の両側面部には内側方に開口する凹部４５が凹溝部４３の長さ方向に複数設けられている。凹溝部４３の一方の側面部に設けられた凹部４５は他方の側面部に設けられた凹部４５と左右対称となる位置に配置されている。そして、前記凹部４５及びスライド溝部４４を有する凹溝部４３によって、スライド機構が構成されている。
【００３４】
図６のように、操作表示体３は、左右に長い長方形状の裏面板３５を有しており、裏面板３５は複数のばね３６を介して表面板３７の裏面側に設けられている。操作表示体３は、図５のように、凹溝部４３に、裏面板３５が溝奥側、表面板３７が溝開口側に位置するように収納され、凹溝部４３の長さ方向にスライド可能となっている。
【００３５】
図６のように、裏面板３５の各スライド溝部４４に対応する箇所には、表面板３７と反対側に向かって突出する突起４７が形成されており、両突起４７は裏面板３５において左右対称位置に配置されている。各突起４７は対応するスライド溝部４４にスライド自在に挿入され、各スライド溝部４４は操作表示体３を凹溝部４３の長さ方向にスライドする際のガイドとして機能する。
【００３６】
図示は省略するが、各突起４７には表示体側電気接続部が設けられており、これら表示体側電気接続部は表示装置３８の表示部４９及び各操作部３９に電気的に接続されている。各突起４７の表示体側電気接続部は対応するスライド溝部４４の本体側電気接続部と電気的に接続され、これにより操作表示体３の表示装置３８には制御部７を介して電源部８からの電力が供給される。前記突起４７とスライド溝部４４は、操作表示体３を凹溝部４３のいずれの位置にスライドさせた場合にも電気的に接続されるようになっている。また、この電気的接続により、操作表示体３の表示装置３８と制御部７の双方向通信が行われるようになっている。
【００３７】
表面板３７の両側端面には、外側方に向かって突出する凸部４６が形成されている。両凸部４６は、表面板３７において左右対称となる位置で、且つ、図１のように操作表示体３をハウジング９の前面部４１に沿って配置した状態において表面板３７の下端部となる位置に設けられている。
【００３８】
図４のように、表面板３７の両側端部には、裏面板３５と反対側に向かって突出する押圧部４８が設けられている。各押圧部４８は対応する凸部４６と操作表示体３のスライド方向において同位置に配置されている。
【００３９】
操作表示体３は、図４及び図５（ａ）に示すように両凸部４６を凹溝部４３の左右対象位置にある任意の凹部４５に嵌め込んだ状態でハウジング９の外面に沿って配置される。この状態の操作表示体３は、両凸部４６が対応する凹部４５に嵌まるので、凹溝部４３の長さ方向の移動が規制された状態で保持される。すなわち、凹溝部４３に設けられた各凹部４５は任意の位置にスライドした操作表示体３を保持する保持手段を構成している。
【００４０】
前記保持された操作表示体３のハウジング９における位置の変更は、以下のように行われる。まず、利用者は、操作表示体３の両押圧部４８を押圧し、図５（ｂ）に示すように、表面板３７を複数のばね３６に抗して凹溝部４３の溝奥側に押し込む。このようにすると、操作表示体３の両凸部４６は凹部４５から外れ、操作表示体３は凹溝部４３の溝奥側において凹溝部４３の長さ方向にスライドできる状態になる。続いて、利用者は、両押圧部４８を押圧したまま、操作表示体３を凹溝部４３の長さ方向における任意の位置までスライドし、この後、両押圧部４８の押圧を解除する。これにより、表面板３７は複数のばね３６により付勢されて裏面板３５から離れる方向に移動し、両凸部４６が凹溝部４３の長さ方向における任意の凹部４５に嵌まり込み、操作表示体３が当該位置で保持される。従って、操作表示体３を、図１のようにハウジング９の前面部４１に沿って配置したり、図３（ｂ）のようにハウジング９の上面部４０に配置することができる。
【００４１】
水質決定釦及びｐＨ調節釦により電解水の水質及びｐＨ値を設定した状態で、図２に示す水栓１１から給水路１２に原水が供給されると、装置本体２の電解部６により電解水が生成され、電解室１４に生成された電解水が吐出路１９から吐出される。
【００４２】
前記水栓１１から給水路１２に供給された原水は浄水部４で浄化され、次に流量センサー２１を通過してカルシウム供給部５でカルシウムイオンが付与され、この後、電解部６の電解槽１３に供給される。このとき、流量センサー２１の測定結果に基づいて給水路１２への通水が検知される。すると、制御部７は、電磁弁２６を閉じると共に、両電極１７，１８間に電圧を印加する。この際、制御部７は、水質決定釦及びｐＨ調節釦により設定された電解水が電解室１４で生成されるように、流量センサー２１の測定結果に基づいて、両電極１７，１８間に印加される電解電圧値又は両電極１７，１８間に流れる電解電流値を制御する。これにより、電解室１４内で生成された電解水が吐出路１９から吐出され、電解室１５内で生成された電解水が排出路２０から排出される。そして、前記両電極１７，１８間への電圧印加は流量センサー２１の測定結果に基づいて給水路１２への通水が遮断されたときに終了する。また、このとき、電磁弁２６が開き、これにより電解槽１３や給水路１２に残った水が接続路２５及び排出路２０を介して排出される。
【００４３】
電解水生成装置１は、装置本体２がキッチンの壁に掛けられたり、図７のように流し台３２上に載置されることで、設置される。図７では、流し台３２に設けられた水栓１１に切換弁３４が設けられており、切換弁３４を手動操作することにより、原水管１０から供給された原水をシンク３３又は装置本体２のいずれかに選択的に供給できるようになっている。また、装置本体２の吐出路１９の下流側端部はシンク３３に臨んでおり、吐出路１９から吐出された電解水をシンク３３において利用できるようになっている。
【００４４】
以上説明した本実施形態の電解水生成装置１は、ハウジング９に操作表示体３の位置を変更する位置変更手段が設けられている。このため、操作表示体３を、装置本体２の設置場所等に応じて、操作手段を操作しやすく、表示手段を視認しやすい位置に移動することができる。従って、装置本体２の設置場所等に拘わらず、操作表示体３を容易に操作することができ、操作表示体３の表示を容易に視認することができる。
【００４５】
また、操作表示体３の操作手段は吐出路１９から吐出される電解水をアルカリイオン水又は酸性イオン水のいずれかに設定する水質決定釦を有し、操作表示体３の表示手段が水質決定釦で設定された電解水の水質を表示する機能を有している。この構成により、操作表示体３を、吐出される電解水の設定を行うための水質決定釦を操作しやすく、水質決定釦で設定された電解水の水質を表示するための表示手段を視認し易い位置に配置することができる。
【００４６】
また、位置変更手段は、操作表示体３をスライドさせるスライド機構により構成されているので、簡単な構成で操作表示体３の位置を変更することが可能になる。
【００４７】
また、スライド機構は、任意の位置にスライドした操作表示体３を保持する凹部４５を有しているので、操作表示体３が操作時や視認時に不意に移動することを抑制できる。
【００４８】
なお、操作表示体３をスライドさせるスライド機構は上記に限定されるものではなく、例えば操作表示体３にスライド溝部を設けると共にハウジング９にスライド溝部にスライド自在に挿入される突起を設ける等してもよい。また、操作表示体３のスライド範囲も上記に限定されるものではない。
【００４９】
また、凸部４６を凹部４５から着脱するにあたっては、例えば凸部４６を操作表示体３に対して突没自在に設け、釦等により凸部４６を突没させることで、凹部４５に対して着脱自在にしてもよい。また、任意の位置にスライドした操作表示体３を保持する保持手段も上記に限定されるものではなく、例えば凹溝部４３の両側面部に沿って複数の凸部を設けると共に、表面板３７の両側端部に前記複数の凸部のうちの任意の凸部に嵌合する凹部を設ける等してもよい。
【００５０】
（第二実施形態）
次に上記とは異なる実施形態について説明する。なお、以下の説明では、第一実施形態と同一の構成については同一の番号を付与し、重複する説明は省略する。
【００５１】
本実施形態の電解水生成装置１のハウジング９の外面部の複数箇所には、図９に示すように、操作表示体３を着脱自在に取り付け可能な取付部として嵌込部５０が設けられており、これら複数の嵌込部５０により位置変更手段が構成されている。
【００５２】
各嵌込部５０は、ハウジング９の外方に開口する長方形状の凹部で構成されており、同一形状に形成されている。嵌込部５０は、ハウジング９の前面部４１の上部と、ハウジング９の上面部４０に形成されている。以下、特に区別する場合には、前面部４１に形成された嵌込部５０を嵌込部５０１と記載し、上面部４０に形成された嵌込部５０を嵌込部５０２と記載する。
【００５３】
長方形状の各嵌込部５０はその長手方向が異なっており、嵌込部５０１の長手方向は上下方向と平行であり、嵌込部５０２の長手方向は左右方向と平行である。
【００５４】
図１４に示すように各嵌込部５０の奥面部において点対称位置となる二箇所には、本体側電気接続部５３が設けられており、これら本体側電気接続部５３は制御部７に電気的に接続されている。
【００５５】
図１４（ａ）のように、嵌込部５０１の本体側電気接続部５３は、嵌込部５０１の右上の隅部と左下の隅部の夫々に設けられている。図１４（ｂ）のように、嵌込部５０２の本体側電気接続部５３は、嵌込部５０２の左後の隅部と右前の隅部に設けられている。
【００５６】
図１３に示すように、操作表示体３は液晶タッチパネルである表示装置５２により構成されている。パネル状の表示装置５２は各嵌込部５０と合致する長方形状に形成されており、任意の嵌込部５０に嵌め込むことでハウジング９に着脱自在に取り付けられる。
【００５７】
表示装置５２の画面である表示部５４は長手方向が表示装置５２の長手方向と平行になる長方形状に形成されており、この表示部５４により表示手段が構成されている。表示部５４には複数の操作部５５が表示され、これら複数の操作部５５により操作手段が構成されている。表示部５４には、第一実施形態の操作部３９と同様、操作部５５として、水質決定釦及びｐＨ調節釦が表示されるようになっている。
【００５８】
図１２に示すように、表示装置５２の内部には表示部４９を制御する表示体側制御部５６が設けられている。表示装置５２の裏面には、表示体側制御部５６に電気的に接続された表示体側電気接続部５７が設けられている。表示体側電気接続部５７は、表示装置５２が任意の嵌込部５０に取り付けられたときに当該嵌込部５０の本体側電気接続部５３に接続される。そして、この電気的接続により、表示装置５２の表示体側制御部５６と装置本体２の制御部７の双方向通信が行われるようになっている。
【００５９】
表示体側電気接続部５７は表示装置５２の一隅部に設けられており、表示装置５２がいずれの嵌込部５０に取り付けられた場合にも、当該嵌込部５０のいずれか一つの本体側電気接続部５３に接続されるようになっている。
【００６０】
表示体側制御部５６は、表示装置５２が任意の嵌込部５０に取り付けられた際、表示体側電気接続部５７が接続された本体側電気接続部５３がいずれの嵌込部５０に設けられた本体側電気接続部５３であるかを検知する。同時に、表示体側電気接続部５７が、各嵌込部５０に設けられた２個の本体側電気接続部５３のうち、いずれの本体側電気接続部３５に接続されたのかを検知する。そして、表示体側制御部５６は、これら検知結果に応じて、表示部４９で表示する表示内容（操作部５５を含む）を変更する。
【００６１】
表示体側電気接続部５７に嵌込部５０１の本体側電気接続部５３が接続された場合、表示部５４には図１３（ａ）に示すように表示内容が表示されるようになる。この場合、長方形状の表示部５４の長手方向が縦方向と平行になるので、表示部５４に表示される文字等の表示内容の上下方向を、表示部５４の長手方向と平行にする。なお、図１３（ａ）では、表示部５４の右側に操作部５５が上下に並べて表示され、その左側に水質決定釦及びｐＨ調節釦で設定した電解水の水質が表示されている。
【００６２】
また、表示体側電気接続部５７に嵌込部５０２の本体側電気接続部５３が接続された場合、表示部５４には表示内容が図１３（ｂ）に示すように表示がなされる。この場合、長方形状の表示部５４の長手方向が横方向と平行になるので、表示部５４に表示される文字等の表示内容の上下方向を、表示部５４の長手方向に対して直交させる。なお、図１３（ｂ）では、表示部５４の手前側に操作部５５が左右に並べて表示され、この後側に水質決定釦及びｐＨ調節釦で設定した電解水の水質が表示されている。
【００６３】
このように操作表示体３で表示する表示内容の向きや位置を、操作表示体３が取り付けられた嵌込部５０に応じて変更することで、操作表示体３をいずれの嵌込部５０に取り付けられた場合にも容易に視認できるようになり、また容易に操作することができるようになる。
【００６４】
前記表示部５４で表示される表示内容は、表示体側電気接続部５７が同一の嵌込部５０に設けられた本体側電気接続部５３に接続された場合、常に同じ向きで表示がなされるようになっている。すなわち、表示装置５２は、表示体側電気接続部５７を同一の嵌込部５０の他方の本体側電気接続部５３に接続した場合、表示部５４が左右に反転することになるが、この場合も表示部５４では同様の態様で表示内容が表示される。このため、表示装置５２を嵌込部５０に向きを気にすることなく容易に取り付けることができる。
【００６５】
電解水生成装置１は、図９及び図１１に示すように、操作表示体３が取り外された状態にある嵌込部５０を覆うカバー５８を備えている。カバー５８は嵌込部５０と同一形状に形成されており、嵌込部５０に嵌め込むことでハウジング９に着脱自在に取付けられる。カバー５８は、嵌込部５０１及び嵌込部５０２のいずれにも取り付け可能であり、嵌込部５０に嵌め込んだ状態では、その表面が周囲のハウジング９の外面と略面一となる。
【００６６】
このように操作表示体３が取り外された状態にある嵌込部５０をカバー５８で覆うことにより、外観を向上できる。また、カバー５８は、嵌込部５０に設けられた使用しない本体側電気接続部５３も覆うことができ、この本体側電気接続部５３に塵や埃がついたり、水等がかかったりして不具合が生じることを防止できる。
【００６７】
以上説明した本実施形態の電解水生成装置１は、ハウジング９の複数箇所に操作表示体３を着脱自在に取り付け可能な嵌込部５０が設けられている。このため、操作表示体３を装置本体２の設置場所等に応じて、操作手段を操作しやすく、表示手段を視認しやすい位置に配置することができる。
【００６８】
なお、本実施形態では、操作表示体３を着脱自在に取り付け可能な取付部を嵌込部５０で構成したが、これに限定されるものではない。また、ハウジング９において取付部が設けられる箇所や数も上記に限定されない。また、本実施形態では操作手段を表示部５４に表示される操作部５５で構成したが、操作手段を機械的に動作させる釦等で構成しても構わない。
【符号の説明】
【００６９】
１  電解水生成装置
２  装置本体
９  ハウジング
３９  操作部
４９  表示部
５８  カバー
【図１】
2012228630.tif 000003
【図２】
2012228630.tif 000004
【図３】
2012228630.tif 000005
【図４】
2012228630.tif 000006
【図５】
2012228630.tif 000007
【図６】
2012228630.tif 000008
【図７】
2012228630.tif 000009
【図８】
2012228630.tif 000010
【図９】
2012228630.tif 000011
【図１０】
2012228630.tif 000012
【図１１】
2012228630.tif 000013
【図１２】
2012228630.tif 000014
【図１３】
2012228630.tif 000015
【図１４】
2012228630.tif 000016